(57)【要約】【課題】おもちゃの収納に加えて、不必要な場合には簡単にスペースをとらないように折り畳め、しかも、お絵かきも可能なお絵かき収納箱を提供する。【解決手段】箱体１０は、前後両側対向壁１２、１３及び左右両側対向壁１４、１５からなる矩形筒状周壁１０ａと、当該矩形筒状周壁１０ａの下側開口部を閉じる底壁１０ｂとを備える。蓋部材２０は、前後両側対向壁２２，２３及び左右両側対向壁２４、２５からなる矩形環状周壁２０ａと、当該矩形環状周壁２０ａの上側開口部を閉じるホワイトボードからなる蓋壁２０ｄとを備えている。矩形筒状周壁２０ａの左右両側対向壁１４、１５は２つ折り可能な形状に形成されるとともに、底壁１０ｂは、変形可能な材料でもって形成されている。【選択図】  図１
2018027156.tif 000002
【特許請求の範囲】
【請求項１】
おもちゃを収納する箱体と、蓋部材とを備えるお絵かき収納箱であって、
前記箱体は、前後両側対向壁部及び当該前後両側対向壁部の厚さ方向に折り曲げ可能な左右両側対向壁部からなる矩形筒状周壁と、当該矩形筒状周壁の下側開口部を閉じる底壁とを備えており、
前記蓋部材は、前後両側対向壁部及び左右両側対向壁部からなる矩形環状周壁と、当該矩形環状周壁の上側開口部を閉じる蓋壁とを備えており、
前記矩形筒状周壁の左右両側対向壁部は２つ折り可能な形状に形成されるとともに、前記底壁は、変形可能な材料でもって形成されており、
当該蓋壁は、ホワイトボードでもって構成されているお絵かき収納箱。
【請求項２】
おもちゃを収納する箱体と、蓋部材とを備えるお絵かき収納箱であって、
前記箱体は、前後両側対向壁部及び当該前後両側対向壁の厚さ方向に折り曲げ可能な左右両側対向壁部からなる矩形筒状周壁と、当該矩形筒状周壁の下側開口部を閉じる底壁とを備えており、
前記蓋部材は、前後両側対向壁部及び左右両側対向壁部からなる矩形環状周壁と、当該矩形環状周壁の上側開口部を閉じる蓋壁とを備えており、
前記矩形筒状周壁の左右両側対向壁部は２つ折り可能な形状に形成されるとともに、前記底壁は、変形可能な材料でもって形成されており、
前記蓋部材は、前記蓋壁上に貼着してなるホワイトボードを備えるお絵かき収納箱。
【請求項３】
前記箱体の前記矩形筒状周壁は、その前記左右方向両側対向壁部の各々にて、前後両側折り畳み壁部でもって構成されていることを特徴とする請求項１または２に記載のお絵かき収納箱。
【請求項４】
前記箱体の前記矩形筒状周壁は、その前記前後両側対向壁部及び前記左右両側対向壁部の各々の前記前後両側折り畳み壁部にて、それぞれ柔軟な材料からなる表皮及び裏皮と、これら表皮及び裏皮の間に挟持される芯板とでもって構成されており、
前記蓋部材の前記矩形環状周壁は、その前記前後両側対向壁部及び前記左右両側対向壁部にて、それぞれ柔軟な材料からなる表皮及び裏皮と、これら表皮及び裏皮の間に挟持される芯板とでもって構成されていることを特徴とする請求項３に記載のお絵かき収納箱。
【請求項５】
前記箱体の前記矩形筒状周壁において、前記前後両側対向壁部及び前記左右両側対向壁部の各表皮及び裏皮は、不織布でもって縫製形成されるとともに、前記蓋部材の前記矩形環状周壁において、前記前後両側対向壁部及び前記左右両側対向壁部の各表皮及び裏皮は、不織布でもって縫製形成されていることを特徴とする請求項４に記載のお絵かき収納箱。
【請求項６】
前記矩形筒状周壁内に挿入されて前記底壁上に載置される補強板を備えることを特徴とする請求項１〜５のいずれか１つに記載のお絵かき収納箱。
【請求項７】
前記蓋部材は、前記ホワイトボードの後縁部から立ち上がる立て板部材と、当該立て板部材の立ち上がり状態を保持する保持手段とを備えるお絵かき対象表示体を具備してなることを特徴とする請求項１〜６のいずれか１つに記載のお絵かき収納箱。
【発明の詳細な説明】
【技術分野】
【０００１】
本発明は、おもちゃの収納に加えて、お絵かきも可能なお絵かき収納箱に関する。
【背景技術】
【０００２】
従来、おもちゃを収納する収納箱、いわゆるおもちゃ箱としては、下記特許文献１に記載のものが提案されている。このおもちゃ箱は、合成樹脂製の組立式おもちゃ箱であって、合成樹脂製の組立式おもちゃ箱の変形し易いという欠点を解消しようとするものである。
【先行技術文献】
【特許文献】
【０００３】
【特許文献１】特開平７−１６３７６７号公報
【発明の概要】
【発明が解決しようとする課題】
【０００４】
しかしながら、上述のおもちゃ箱は、小売店から家庭までの持ち運びや在庫管理時に分解できるという長所を活かすために組立式を採用したものであるため、組立後、必要でなくなった場合に、簡単にスペースをとらないように畳んで片付けられるようには構成されていない。
【０００５】
また、幼児が上述のおもちゃ箱の中のおもちゃを取り出して遊ぶにしても、当該おもちゃ箱は、おもちゃの収納のみを目的としているため、例えば、お絵かきをしたいという幼児の希望には応えられない。
【０００６】
そこで、本発明は、以上のようなことに対処するため、おもちゃの収納に加えて、不必要な場合には簡単にスペースをとらないように折り畳め、しかも、お絵かきも可能なお絵かき収納箱を提供することを目的とする。
【課題を解決するための手段】
【０００７】
上記課題の解決にあたり、本発明に係るお絵かき収納箱は、請求項１の記載によれば、おもちゃを収納する箱体（１０）と、蓋部材（２０）とを備える。
【０００８】
当該お絵かき収納箱において、
箱体は、前後両側対向壁部（１２、１３）及び当該前後両側対向壁部の厚さ方向に折り曲げ可能な左右両側対向壁部（１４、１５）からなる矩形筒状周壁（１０ａ）と、当該矩形筒状周壁の下側開口部を閉じる底壁（１０ｂ）とを備えており、
蓋部材は、前後両側対向壁部（２２、２３）及び左右両側対向壁部（２４、２５）からなる矩形環状周壁（２０ｃ）と、当該矩形環状周壁の上側開口部を閉じる蓋壁（２０ｄ）とを備えており、
前記矩形筒状周壁の左右両側対向壁部は２つ折り可能な形状に形成されるとともに、前記底壁は、変形可能な材料でもって形成されており、
当該蓋壁は、ホワイトボードでもって構成されている。
【０００９】
これによれば、お絵かき収納箱において、蓋体が、ホワイトボードを蓋壁として備える。このことは、お絵かき収納箱が、おもちゃを収納する収納箱としての役割に加えて、ホワイトボードでお絵かきをするというお絵かきツールとしての役割をも兼ね備えることを意味する。
【００１０】
従って、お絵かき収納箱によれば、別途、お絵かき用のホワイトボードを準備する必要もなく、幼児は、おもちゃの収納に加えて、お絵かきをもすることができ、非常に便利である。
【００１１】
また、上述のごとく、矩形筒状周壁の左右両側対向壁部は２つ折り可能な形状に形成されるとともに、底壁は、変形可能な材料でもって形成されている。従って、左右両側対向壁部を折り畳み、これに伴い、底壁が変形することで、箱体はコンパクトな折り畳み形状になる。従って、このように折り畳んだ箱値を蓋部材の矩形環状周壁内に収容することで、お絵かき収納箱を扁平なコンパクト形状にすることができる。その結果、当該お絵かき収納箱の片付けの際にとるスペースを大幅に軽減させることができる。
【００１２】
また、本発明に係るお絵かき収納箱は、請求項２の記載によれば、請求項１に記載の発明とは、蓋部材は、蓋壁上に貼着してなるホワイトボードを備える点において構成を異にする。これによっても、請求項１に記載の発明と同様の作用効果が達成され得る。
【００１３】
また、本発明は、請求項３の記載によれば、請求項１または２に記載のお絵かき収納箱において、箱体の矩形筒状周壁は、その左右方向両側対向壁部の各々にて、前後両側折り畳み壁部（１４ａ、１４ｂ、１５ａ、１５ｂ）でもって構成されていることを特徴とする。
【００１４】
これにより、請求項１または請求項２に記載の箱体の左右方向両側対向壁部の各々の２つ折り機能がより具体的に達成され得る。
【００１５】
また、本発明は、請求項４の記載によれば、請求項３に記載のお絵かき収納箱において、
箱体の矩形筒状周壁は、その前後両側対向壁部及び左右両側対向壁部の各々の前後両側折り畳み壁部にて、それぞれ柔軟な材料からなる表皮及び裏皮と、これら表皮及び裏皮の間に挟持される芯板とでもって構成されており、
蓋部材の矩形環状周壁は、その前後両側対向壁部及び左右両側対向壁部にて、それぞれ柔軟な材料からなる表皮及び裏皮と、これら表皮及び裏皮の間に挟持される芯板とでもって構成されていることを特徴とする。これにより、請求項３に記載の作用効果がより一層具体的に達成され得る。
【００１６】
また、本発明は、請求項５の記載のように、請求項４に記載のお絵かき収納箱において、
箱体の矩形筒状周壁において、前後両側対向壁部及び左右両側対向壁部の各表皮及び裏皮は、不織布でもって縫製形成されるとともに、蓋部材の矩形環状周壁において、前記前後両側対向壁部及び前記左右両側対向壁部の各表皮及び裏皮は、不織布でもって縫製形成されていてもよい。
【００１７】
また、本発明は、請求項６の記載によれば、請求項１〜５のいずれか１つに記載のお絵かき収納箱において、上記矩形筒状周壁内に挿入されて上記底壁上に載置される補強板（５０）を備えることを特徴とする。
【００１８】
これにより、箱体の変形が、補強版により防止され得る。その結果、請求項１〜５のいずれか１つに記載の発明の作用効果がより一層確実に達成され得る。
【００１９】
また、本発明は、請求項７の記載によれば、請求項１〜６のいずれか１つに記載のお絵かき収納箱において、
蓋部材は、ホワイトボードの後縁部から立ち上がる立て板部材（２８）と、当該立て板部材の立ち上がり状態を保持する保持手段（２９ａ〜２９ｄ）とを備えるお絵かき対象表示体を具備してなることを特徴とする。
【００２０】
これにより、立て板部材にアルファベット、数字や絵などの表示対象を表示しておくことで、当該表示対象を見ながらホワイトボードにおけるお絵かきを行うことができて便利であるという作用効果が、請求項１〜６のいずれか１つに記載の発明の作用効果に加えて達成され得る。
【図面の簡単な説明】
【００２１】
【図１】本発明に係るお絵かき収納箱の一実施形態を示す斜視図である。
【図２】図１のお絵かき収納箱の正面図である。
【図３】図１のお絵かき収納箱の右側面図である。
【図４】図１のお絵かき収納箱の平面図である。
【図５】図１のお絵かき収納箱の下面図である。
【図６】図１のお絵かき収納箱の背面図である。
【図７】図１のお絵かき収納箱内に着脱可能に設置される補強板の平面図である。
【図８】図１のお絵かき収納箱の蓋部材を、お絵かき対象表示体を立設する前の状態にて示す斜視図である。
【図９】図８の蓋部材を裏側から見たときの斜視図である。
【図１０】図１のお絵かき収納箱の箱体の斜視図である。
【図１１】図１のお絵かき収納箱の蓋部材を、お絵かき対象表示体をホワイトボード上に折り畳んだ状態にて示す斜視図である。
【図１２】図１のお絵かき収納箱の箱体を折り畳んだ状態にて示す斜視図である。
【図１３】図１のお絵かき収納箱を折り畳んだ状態にて示す斜視図である。
【発明を実施するための形態】
【００２２】
以下、本発明の一実施形態を図面に基づいて詳細に説明すると、図１は、本発明に係るお絵かき収納箱の一実施形態を示している。
【００２３】
当該お絵かき収納箱（以下、収納箱１ともいう）は、図１〜図６のいずれかにて示すごとく、箱体１０と、蓋部材２０とによって構成されている。
【００２４】
箱体１０は、その上側開口部１１（図１０参照）からおもちゃを収納するようになっており、当該箱体１０は、図１〜図３、図５及び図１０のいずれかにて示すごとく、矩形筒状周壁１０ａ及び底壁１０ｂでもって、箱状に構成されている。
【００２５】
周壁１０ａは、前後両側対向壁部１２、１３及び左右両側対向壁部１４、１５でもって矩形筒状に形成されている。ここで、前後両側対向壁部１２、１３は、互いに同一の壁形状となっている。
【００２６】
一方、左右両側対向壁部１４、１５は、互いに同一の壁形状であるが、当該左右両側対向壁部１４、１５は、前後両側対向壁部１２、１３と同一の高さを有するものの、当該前後両側対向壁部１２、１３の左右方向幅よりも狭い前後方向幅を有するように形成されている。
【００２７】
本実施形態では、幼児が当該お絵かき収納箱を両手で抱え易いように、前後両側対向壁部１２、１３の各左右方向幅は、例えば、Ｗ＝４２（ｃｍ）に設定され、左右両側対向壁部１４、１５の前後方向幅は、例えば、Ｄ＝３２（ｃｍ）に設定されている（図１参照）。
【００２８】
また、周壁１０ａの前後両側対向壁部１２、１３及び左右両側対向壁部１４、１５は、それぞれ、例えば、ＭＤＦ(medium density fiberboard)（中密度繊維板材料）からなる芯板（図示しない）を表皮、裏皮及び上下両側縁取り帯でもって被覆して構成されている。なお、表皮、裏皮及び上下両側縁取り帯の材料としては、柔軟な生地（例えば、ポリエステルからなる不織布）が採用されている。
【００２９】
左右両側対向壁部１４、１５は、図１０から明らかなように、それぞれ、幅方向中央にて、２つ折り可能となっている。当該左右両側対向壁部１４、１５のうち、左側対向壁部１４は、前後両側折り畳み壁部１４ａ、１４ｂでもって構成されており、当該前後両側折り畳み壁部１４ａ、１４ｂは、それぞれ、互いに独立した上記中密度繊維板材料からなる芯板（図示しない）を、上述した柔軟な生地からなる表皮、裏皮及び上下両側縁取り帯でもって一体的に被覆して形成されている。
【００３０】
これにより、前後両側折り畳み壁部１４ａ、１４ｂは、左側対向壁部１４を、その幅方向中央にて、折り畳み可能となっている。なお、前後両側折り畳み壁部１４ａ、１４ｂの境界に対する表皮及び裏皮の各部位は、その高さ方向に沿い、相互に縫製されて、前後両側折り畳み壁部１４ａ、１４ｂの各芯板を相互に隔離している。
【００３１】
なお、両ポケット１４ｃ、１４ｄが、不織布の縫製により、図１にて示すごとく、前後両側折り畳み壁部１４ａ、１４ｂにその各外側から取り付けられるとともに、不織布からなる短冊状の持ち手１４ｅが、前後両側折り畳み壁部１４ａ、１４ｂに跨いで鋲着されている。
【００３２】
一方、右側周壁部１５は、前後両側折り畳み壁部１５ａ、１５ｂでもって構成されており、当該前後両側折り畳み壁部１５ａ、１５ｂは、前後両側折り畳み壁部１４ａ、１４ｂと同様に、それぞれ、互いに独立した上記中密度繊維板材料からなる芯板（図示しない）を上述した柔軟な生地からなる表皮、裏皮及び上下両側縁取り帯でもって一体的に被覆して形成されている。なお、前後両側折り畳み壁部１５ａ、１５ｂの境界に対する表皮及び裏皮の各対応部位は、その高さ方向に沿い、相互に縫製されて、前後両側折り畳み壁部１５ａ、１５ｂの各芯板を相互に隔離している。
【００３３】
これにより、前後両側折り畳み壁部１５ａ、１５ｂは、右側周壁部１５を、その幅方向中央にて、折り畳み可能となっている。
【００３４】
本実施形態では、両ポケット１５ｃ、１５ｄが、不織布の縫製により、図１にて示すごとく、前後両側折り畳み壁部１５ａ、１５ｂにその各外側から取り付けられるとともに、不織布からなる短冊状の持ち手１５ｅが、図４にて示すごとく、前後両側折り畳み壁部１５ａ、１５ｂに跨いで鋲着されている。なお、ポケット１４ｃ，１４ｄ，１５ｃ，１５ｄは、後述するホワイトボード・マーカーやホワイトボード・イレーザーなどを入れる小物入れとして機能する。
【００３５】
また、本実施形態において、上述した前後両側対向壁部１２、１３及び左右両側対向壁部１４、１５の各表皮及び各裏皮は、それぞれ、その全体に亘り、上述した柔軟な生地の一枚構成にて、一体的に形成されている。
【００３６】
これに伴い、前側対向壁部１２と左右両側対向壁部１４、１５との各境界及び後側対向壁部１３と左右両側対向壁部１４、１５との各境界に対する表皮及び裏皮の各対応部位は、それぞれ、その高さ方向に沿い、相互に縫製されて、前後両側対向壁部１２、１３及び左右両側対向壁部１４、１５の各芯板を相互に隔離している。これにより、左右両側対向壁部１４、１５は、各前後両側折り畳み壁部１４ａ、１４ｂ、１５ａ、１５ｂにて、前後両側対向壁部１２、１３に対して左右方向に折れ曲がり可能となっている。
【００３７】
また、上述した上下両側縁取り帯のうち、上側縁取り帯は、横断面逆Ｕ字状に折り曲げられて、図１０にて符号１６ａにより示すごとく、前後両側対向壁部１２、１３及び左右両側対向壁部１４、１５の各上縁部に対応する表皮及び裏皮の各上縁部を、その全体に亘り挟持するようにして、縫製されている。
【００３８】
ここで、当該縫製は次のようにして行われている。即ち、上側縁取り帯１６ａは、その一側折り曲げ部及び他側折り曲げ部にて、それぞれ、前後両側対向壁部１２、１３及び左右両側対向壁部１４、１５の各上縁部に対応する表皮及び裏皮の各上縁部に縫製されている。
【００３９】
一方、下側縁取り帯は、横断面Ｕ字状に折り曲げられて、図１０にて符号１６ｂにより示すごとく、前後両側対向壁部１２、１３及び左右両側対向壁部１４、１５の各下縁部に対応する表皮及び裏皮の各下縁部（芯板の下縁部よりも下方へ延出している）を、その全体に亘り挟持するようにして、縫製されている。
【００４０】
ここで、当該縫製は次のようにして行われている。即ち、下側縁取り帯１６ｂは、その一側折り曲げ部及び他側折り曲げ部にて、前後両側対向壁部１２、１３及び左右両側対向壁部１４、１５の各下縁部に対応する表皮及び裏皮の各下縁部（芯板の下縁部よりも下方へ延出している）と共に縫製されている。
【００４１】
底壁１０ｂは、上述した柔軟な生地でもって形成されており、当該底壁１０ｂは、箱体１０の下側開口部１７（周壁１０ａの下側開口部１７）を閉じるように当該下側開口部１７に取り付けられている。
【００４２】
ここで、当該底壁１０ｂは、その外周縁部にて、下側縁取り帯１６ｂの一側折り曲げ部及び他側折り曲げ部の間に挟持されるようにして、当該一側折り曲げ部及び他側折り曲げ部と共に縫製されている。これにより、当該底壁１０ｂは、箱体１０の左右両側対向壁部１４、１５を２つ折りに折り畳むに伴い、変形可能となっている。また、当該底壁１０ｂは、左右両側対向壁部１４、１５の２つ折りに伴う前後両側対向壁部１２、１３の相互の接近に伴っても、変形可能となっている。
【００４３】
蓋部材２０は、図１〜図４、図８及び図９のいずれかにて示すごとく、蓋体２０ａと、お絵かき対象表示体２０ｂとを備えている。
【００４４】
蓋体２０ａは、箱体１０の上側開口部１１を閉じるように構成されており、当該蓋体２０ａは、図８及び図９のいずれかにて示すごとく、周壁２０ｃ及び蓋壁２０ｄを備えている。周壁２０ｃは、前後両側対向壁部２２、２３及び左右両側対向壁部２４、２５でもって、矩形環状に形成されている。
【００４５】
ここで、前後両側対向壁部２２、２３は、互いに同一の壁形状となっている。一方、左右両側対向壁部２４、２５は、互いに同一の壁形状であるが、当該左右両側対向壁部２４、２５は、前後両側対向壁部２２、２３と同一の上下方向幅を有するものの、当該前後両側対向壁部２２、２３の左右方向長さよりも短い前後方向長さを有するように形成されている。
【００４６】
但し、蓋体２０ａをその矩形環状周壁２０ｃにて箱体１０の上側開口部１１にその外面に沿い被せ得るように、前後両側対向壁部２２、２３の各内面間の距離は、周壁１０ａの左右両側対向壁部１４、１５の各前後方向幅Ｄよりも幾分長く、かつ、左右両側対向壁部２４、２５の各内面間の距離は、周壁１０ａの前後両側対向壁部１２、１３の各左右方向幅Ｗよりも幾分長くなっている。
【００４７】
また、前後両側対向壁部２２、２３及び左右両側対向壁部２４、２５は、それぞれ、厚紙からなる芯板（図示しない）を表皮、裏皮及び上下両側縁取り帯でもって被覆して構成されている。なお、当該表皮、裏皮及び上下両側縁取り帯の材料としては、上述した柔軟な生地が採用されている。
【００４８】
本実施形態においては、上述した前後両側対向壁部２２、２３及び左右両側対向壁部２４、２５の各表皮及び各裏皮は、それぞれ、その全体に亘り、上述した柔軟な生地の一枚構成にて、一体的に形成されている。
【００４９】
これに伴い、前側対向壁部２２と左右両側対向壁部２４、２５との各境界及び後側対向壁部２３と左右両側対向壁部２４、２５との各境界に対する表皮及び裏皮の各対応部位は、それぞれ、その上下幅方向に沿い、相互に縫製されて、前後両側対向壁部２２、２３及び左右両側対向壁部２４、２５の各芯板を相互に隔離している。
【００５０】
また、上述した厚紙からなる芯板を表皮及び裏皮とともに被覆する上下両側縁取り帯のうち、下側縁取り帯は、横断面Ｕ字状に折り曲げられて、図８或いは図９にて符号２７により示すごとく、前後両側対向壁部２２、２３及び左右両側対向壁部２４、２５の各下縁部に対応する表皮及び裏皮の各下縁部を、その全体に亘り挟持するようにして、縫製されている。
【００５１】
ここで、当該縫製は次のようにして行われている。即ち、下側縁取り帯２７は、その一側折り曲げ部及び他側折り曲げ部にて、それぞれ、前後両側対向壁部２２、２３及び左右両側対向壁部２４、２５の各下縁部に対応する表皮及び裏皮の各下縁部に縫製されている。
【００５２】
一方、上側縁取り帯３２は、横断面逆Ｕ字状に折り曲げられて、前後両側対向壁部２２、２３及び左右両側対向壁部２４、２５の各上縁部に対応する表皮及び裏皮の各上縁部を、その全体に亘り挟持するようにして、縫製されている。
【００５３】
蓋壁２０ｄは、周壁２０ｃの上下幅方向上側開口部にこれを閉じるように設けられている。当該蓋壁２０ｄは、矩形板状のホワイトボード（以下、ホワイトボード２０ｄともいう）でもって構成されている。本実施形態では、当該ホワイトボード２０ｄは、厚紙の表面にホワイトボードペイントを塗布して形成されている。なお、当該ホワイトボード２０ｄの厚紙の厚さは、外力（例えば、幼児の力）では変形不能であり縫製可能な厚さとなっている。
【００５４】
当該ホワイトボード２０ｄは、その外周縁部にて、前後両側対向壁部２２、２３及び左右両側対向壁部２４、２５の各上縁部に対応する表皮及び裏皮の各上縁部と共に上側縁取り帯３２の一側折り曲げ部及び他側折り曲げ部の間に挟持されることで、上側縁取り帯３２により被覆縫製されている。
【００５５】
ここで、ホワイトボード２０ｄは、その外周縁部にて、前後両側対向壁部２２、２３及び左右両側対向壁部２４、２５の各上縁部に対応する表皮及び裏皮の各上縁部と共に、上側縁取り帯３２の一側折り曲げ部及び他側折り曲げ部を介し縫製されることで、周壁２０ｃの蓋壁としての役割に加え、幼児のお絵かき遊び用白板としての役割をも果たすように、周壁２０ｃと共に、蓋体２０ａの形状を断面コ字状に維持する。
【００５６】
なお、本実施形態において、ホワイトボード２０ｄの表面の後側部位には、図１にて示すごとく、１から１０までの算用数字が、お絵かき対象の一部として印刷されている。
【００５７】
お絵かき対象表示体２０ｂは、図１にて示すごとく、表示板２８、左右両側保持板２９ａ、２９ｂ及び左右両側取り付け板２９ｃ、２９ｄを備えている。
【００５８】
表示板２８は、矩形状のもので、当該表示板２８は、その基端部にて、ホワイトボード２０ｄの後縁部にその板厚方向に折り曲げ可能に連結されて、外方へ延出している。
【００５９】
当該表示板２８の表面には、図１にて示すごとく、アルファベットが、お絵かき対象として、一覧表（えいごアルファベットひょう）でもって印刷されている。図示例では、アルファベットとして、大文字のみが何の装飾もなく記載されているが、これは図示上の便宜のためであり、実際には、大文字に加えて小文字や、各文字を頭文字とする単語とその絵などが加飾された状態で記載されている。
【００６０】
左右両側保持板２９ａ、２９ｂは、それぞれ、図１にて示すような形状に形成されており、当該左右両側保持板２９ａ、２９ｂは、それぞれ、その基端部にて、表示板２８の左右方向両端部にその板厚方向に折り曲げ可能に連結されて、外方へ延出している。
【００６１】
また、左右両側取り付け板２９ｃ、２９ｄは、それぞれ、図１及び図８のいずれかにて示すような形状に形成されており、左側取り付け板２９ｃは、その基端部にて、左側保持板２９ａの図１にて図示下端部にその板厚方向に折り曲げ可能に連結されて、外方へ延出するとともに、右側取り付け板２９ｄは、その基端部にて、右側保持板２９ｂの図１にて図示下端部にその板厚方向に折り曲げ可能に連結されて、外方へ延出している。
【００６２】
ここで、表示板２８、左右両側保持板２９ａ、２９ｂ及び左右両側取り付け板２９ｃ、２９ｄは、それぞれ、厚紙からなる芯板（図示しない）を表皮、裏皮及び外側縁取り帯でもって被覆して構成されている。
【００６３】
本実施形態において、表示板２８、保持板２９ａ、２９ｂ及び左右両側取り付け板２９ｃ、２９ｄの各表皮及び各裏皮は、それぞれ、その全体に亘り、上述した柔軟な生地の一枚構成にて、一体的に形成されている。
【００６４】
これに伴い、左側保持板２９ａと表示板２８との境界に対する表皮及び裏皮の各対応部位、表示板２８と右側保持板２９ｂとの境界に対する表皮及び裏皮の各対応部位、左側保持板２９ａと左側取り付け板２９ｃとの境界に対する表皮及び裏皮の各対応部位及び右側保持板２９ｂと右側取り付け板２９ｄとの境界に対する表皮及び裏皮の各対応部位は、それぞれ、その各境界に沿い相互に縫製されている。これにより、表示板２８、左右両側保持板２９ａ、２９ｂ及び左右両側取り付け板２９ｃ、２９ｄは、その各芯板にて、相互に隔離されることで、折り曲げ可能となっている。
【００６５】
外側縁取り帯は、図１にて符号３１にて示すごとく、左側取り付け板２９ｃ、左側保持板２９ａ、表示板２８、右側保持板２９ｂ及び左側取り付け板２９ｄの各外周縁部を、その全体に亘り挟持するようにして、縫製されている。
【００６６】
ここで、外側縁取り帯３１は、その一側折り曲げ部及び他側折り曲げ部にて、左側取り付け板２９ｃ、左側保持板２９ａ、表示板２８、右側保持板２９ｂ及び左側取り付け板２９ｄの各外周縁部に対応する表皮及び裏皮の各外周縁部に亘り縫製されている。
【００６７】
また、本実施形態では、表示板２８の基端部に対する表皮及び裏皮の各対応部位がホワイトボード２０ｄの後縁部に縫製されている。これにより、表示板２８は、その基端部にて、ホワイトボード２０ｄの後縁部に対しその板厚方向に折り曲げ可能となっている。
【００６８】
このように構成したお絵かき対象表示体２０ｂにおいては、表示板２８が、その基端部にて、図１にて示すごとく、ホワイトボード２０ｄの後縁部に対し上方へ折り曲げられ、左右両側保持板２９ａ、２９ｂが、その各基端部にて、表示板２８の左右両側縁部に対し互いに近づくように折り曲げられ、左右両側取り付け板２９ｃ、２９ｄが、ホワイトボード２０ｄ上に位置するように、左右両側保持板２９ａ、２９ｂの間に折り曲げられる。
【００６９】
然る後、左両側取り付け板２９ｃを、ホワイトボード２０ｄの左側部位に、左側スナップボタン４１でもって、着脱可能に取り付け、かつ、右側取り付け板２９ｄを、ホワイトボード２０ｄの右側部位に、右側スナップボタン４２でもって着脱可能に取り付けることで、お絵かき対象表示体２０ｂは、図１にて示すごとく、ホワイトボード２０ｄ上に立設される。このようにお絵かき対象表示体２０ｂが箱体１０上に立設した状態において、箱体１０の下端からお絵かき対象表示体２０ｂの上端までの高さＨは、例えば、５５０（ｍｍ）になっている。これは、幼児の身長を考慮して、幼児がお絵かき対象表示体２０ｂのアルファベットを見易くするためである。
【００７０】
ここで、左側スナップボタン４１は、図８にて示すごとく、左側取り付け板２９ｃの中間部位に取り付けたドットボタン４１ａと、ホワイトボード２０ｄの左側部位にドットボタン４１ａに対応可能に取り付けたバネホック４１ｂとにより構成されており、当該左側スナップボタン４１は、ドットボタン４１ａ及びバネホック４１ｂを相互に着脱可能に係合することで、左側取り付け板２９ｃを、ホワイトボード２０ｄの左側部位に取り付ける。
【００７１】
一方、右側スナップボタン４２は、図８にて示すごとく、右側取り付け板２９ｄの中間部位に取り付けたドットボタン４２ａと、ホワイトボード２０ｄの右側部位にドットボタン４２ａに対応可能に取り付けたバネホック４２ｂとにより構成されており、当該右側スナップボタン４２は、ドットボタン４２ａ及びバネホック４２ｂを相互に着脱可能に係合することで、右側取り付け板２９ｄを、ホワイトボード２０ｄの右側部位に取り付ける。
【００７２】
本実施形態において、収納箱１は、図７にて示すごとく、矩形状の補強板５０を備えており、当該補強板５０は、箱体１０の周壁１０ａを矩形筒状に維持するように、箱体１０内に嵌装されて底壁１０ｂ上に載置される。
【００７３】
当該補強板５０は、底壁１０ｂと同一の外形形状を有する厚紙を芯板とし、当該芯板を表皮、裏皮及び外側縁取り帯（図７にて符号５１により示す）でもって被覆して、形成されている。なお、補強板５０の表皮、裏皮及び外側縁取り帯の材料としては、上述の柔軟な生地が採用されている。
【００７４】
しかして、外側縁取り帯５１は、Ｕ字状に折り曲げられて、その一側折り曲げ部及び他側折り曲げ部にて、補強板５０の表皮及び裏皮の各外周縁部を挟持して縫製されている。また、図７にて、符号５２は、不織布からなる短冊状の取り出し片を示しており、当該取り出し片５２は、補強板５０の一隅角部から延出している。
【００７５】
なお、上述した各芯板は、外力（例えば、幼児の力）では変形しにくい厚さ（例えば、２（ｍｍ）〜３（ｍｍ）程度）に設定されている。
【００７６】
以上のように構成した本実施形態において、収納箱１を組み立てる際には、次のようにして行う。現段階においては、収納箱１は、図１３にて示すごとく、折り畳んだ状態にあるものとする。
【００７７】
このような状態においては、蓋部材２０は、後述するように図１１にて示す折り畳み状態にある。また、箱体１０は、後述するように図１２にて示す折り畳み状態にある。これに伴い、箱体１０は、その折り畳み状態のまま、蓋部材２０の蓋体２０ａの矩形環状周壁２０ｃ内にて蓋壁２０ｄに着座するように収容されている。また、補強板５０は、折り畳んだ箱体１０上に載置されている（図１３参照）。
【００７８】
これにより、収納箱１は、コンパクトな形状となり、幼児でも片付け易くなっていて、便利である。
【００７９】
しかして、幼児が、上述のように折り畳んだ収納箱１を組み立てるにあたっては、まず、補強板５０を、その取り出し片５２（図７参照）を引っ張ることで、蓋体２０ａから取り出す。ついで、折り畳んだ箱体１０を蓋部材２０内から取り出す。次に、折り畳んだ箱体１０を拡げ、底壁１０ｂ（図５参照）を下側に位置させた状態で床上に置く。然る後、補強板５０を、箱体１０内にその上側開口部１１（図１０参照）から挿入して底壁１０ｂ上に設置する。これにより、箱体１０は、補強板５０によって、変形しにくいように維持され得る。以上により、箱体１０の組立てが完了する。
【００８０】
このように箱体１０の組み立てが完了した後、お絵かき対象表示体２０ｂが蓋体２０ａの上側に位置するように、蓋部材２０を床上に置く（図１１参照）。然る後、ホワイトボード２０ｄ上に折り畳んだ状態にあるお絵かき対象表示体２０ｂを、次のようにしてホワイトボード２０ｄ上に立設する。
【００８１】
まず、立て板２８をホワイトボード２０ｄから起こして当該ホワイトボード２０ｄの後縁部上に立てる。ついで、左右両側保持板２９ａ、２９ｂを立て板２８の左右両側端部に対して前側へ折り曲げるとともに、左右両側取り付け板２９ｃ、２９ｄを、左右両側保持板２９ａ、２９ｂの各下端部を基準に互いに接近するように、折り曲げて、ホワイトボード２０ｄの左右両側部位上に載置する。
【００８２】
ついで、左側スナックボタン４１のドットボタン４１ａ及びバネホック４１ｂを相互に係合することで、左側取り付け板２９ｃをホワイトボード２０ｄの左側部位上に固定し、かつ、右側スナックボタン４２のドットボタン４１ａ及びバネホック４１ｂを相互の係合させることで、右側取り付け板２９ｄをホワイトボード２０ｄの右側部位上に固定する。これにより、蓋部材２０の組立てが完了する。
【００８３】
最後に、蓋部材２０の蓋体２０ａを、その開口部から、箱体１０の上側開口部１１に被せることで、蓋体２０ａにより箱体１０を閉じる。これに伴い、収納箱１は、図１にて示す組み立て状態となる。これにより、収納箱１の組立てが完了する。なお、収納箱１内にあるおもちゃは、蓋体２０ａを上述のように箱体１０に被せる前に、収納箱１から取り出しておく。
【００８４】
しかして、お絵かきをして遊ぶ場合には、幼児は、例えば、ホワイトボード・マーカー（図示しない）でもって、ホワイトボード２０ｄ上にお絵かきをして楽しく遊ぶことができる。
【００８５】
ここで、アルファベットや算用数字を書いてお遊びする場合には、幼児は、立て板２８に印刷した「えいごアルファベットひょう」のアルファベットやホワイトボード２０ｄ上に印刷された算用数字を見ながらホワイトボード２０ｄ上にかくことができる。これにより、幼児は、楽しく、アルファベットや算用数字を覚えながらお絵かき遊びをすることができる。なお、例えば、ホワイトボード・イレーザー（図示せず）でもって、ホワイトボード２０ｄ上にかいた絵や文字を消すことができる。
【００８６】
上述のようなお絵かきにあたり、収納箱１の寸法が上述のように設定されているので、幼児は、立て板２８等を無理なく容易に見続けることができ、楽しく、お絵かきを継続することができる。
【００８７】
ここで、上述した各芯板及び厚紙は、上述のごとく、変形しにくい厚さに設定されており、しかも、箱体１０の周壁１０ａの各芯板が、上述したごとく、厚紙ではなくＭＤＦでもって形成されている。従って、幼児がお絵かきの際にホワイトボード２０ｄにその上側から力を加えても、箱体１０が変形したり潰れたりすることはない。
【００８８】
また、幼児が収納箱１によるお絵かきやおもちゃによるお遊びが終了した後、当該収納箱１を片付けるにあたっては、左側ボタン４１のドットボタン４１ａ及びバネホック４１ｂの間の係合を解除するとともに、右側ボタン４２のドットボタン４２ａ及びバネホック４２ｂの間の係合を解除する。
【００８９】
ついで、お絵かき対象表示体２０ｂの左側保持板２９ａを左側取り付け板２９ｃとともに左側へ開くとともに、右側保持板２９ｂを右側取り付け板２９ｄとともに右側へ開く。然る後、立て板２８をホワイトボード２０ｄ上に重ねるように折り曲げる。そして、左右両側保持板２９ａ、２９ｂを立て板２８上に重ねるように折り曲げる。ついで、左右両側取り付け板２９ｃ、２９ｄを、それぞれ、左右両側保持板２９ａ、２９ｂ上に重ねるように折り曲げる。これにより、お絵かき対象表示体２０ｂのホワイトボード２０ｄ上への折り畳みが完了する（図１１参照）。
【００９０】
然る後、蓋部材２０を箱体１０から取り外した上で、補強板５０の取り出し片５２（図７参照）を引っ張ることで補強板５０を箱体１０の内部から取り出す。ついで、箱体１０の左右両側対向壁１４、１５をその前後方向中央部にて内側を押すと、左側対向壁１４は、その前後両側折り畳み壁部１４ａ、１４ｂでもって、２つ折りに折れ曲がるとともに、右側対向壁１５は、その前後両側折り畳み壁部１５ａ、１５ｂでもって、２つ折りに折れ曲がる。これに伴い、底壁１０ｂも変形する。
【００９１】
すると、前後両側対向壁１２、１３が、２つ折りになった前後両側折り畳み壁部１４ａ、１４ｂ及び１５ａ、１５ｂを介し接近して、図１２にて示す折り畳み状態になる。
【００９２】
次に、蓋体２０ａがお絵かき対象表示体２０ｂの上側に位置するように、上述のように折り畳んだ状態にある蓋部材２０を床上に置く。このような状態にて、上述のように折り畳んだ箱体１０を蓋体２０ａの矩形環状周壁２０ｃ内に収容して蓋壁２０ｄ（ホワイトボード２０ｄ）上に載置する。ついで、補強板５０を折り畳んだ箱体１０上に載置する（図１３参照）。これにより、収納箱１の折り畳みが完了する。
【００９３】
また、当該収納箱１内におもちゃを収納する場合には、上述のように蓋部材２０を折り畳んだ後に、当該蓋部材２０の蓋体２０ａを箱体１０から取り外す。ついで、おもちゃを箱体１０内にその上側開口部１１から収納する。然る後、折り畳んだ状態にある蓋部材２０をその蓋体２０ａにて箱体１０にその上側開口部１１にて被せる。これにより、収納箱１がおもちゃの収納箱として機能する。
【００９４】
以上説明したように、本実施形態によれば、お絵かき収納箱１が、おもちゃを収納する箱体１０の蓋部材２０において、蓋体２０ａが、ホワイトボード２０ｄを蓋壁として備える。このことは、お絵かき収納箱１が、おもちゃを収納する収納箱としての役割に加えて、ホワイトボード２０ｄでお絵かきをするというお絵かきツールとしての役割をも兼ね備えることを意味する。
【００９５】
従って、お絵かき収納箱１によれば、別途、お絵かき用のホワイトボードを準備する必要もなく、幼児は、おもちゃの収納に加えて、お絵かきをもすることができ、非常に便利である。
【００９６】
また、上述のように、箱体１０及び蓋部材２０を折り畳んで、折り畳んだ箱体１０を、折り畳んだ蓋部材２０の蓋体２０ａ内に補強板５０とともに収納することで、お絵かき収納箱１が、コンパクトな折り畳み状態になる。このため、当該お絵かき収納箱１を片付けるスペースが大幅に軽減され得る。
【００９７】
ここで、箱体１０及び蓋部材２０の各折り畳み手順は上述のように行うのみ故、非常に簡単である。従って、幼児でも簡単にお絵かき収納箱１の折り畳みを行うことができる。
【００９８】
また、幼児がお絵かきをするにあたっては、お絵かき収納箱１がお絵かき対象表示体２０ｂを箱体１０と共に備えているので、お絵かき対象表示体２０ｂによる表示対象であるアルファベットを見ながらホワイトボード２０ｄ上にかくことができて便利である。
【００９９】
なお、本発明の実施に当たり、上記実施形態に限ることなく、次のような種々の変形例が挙げられる。
（１）本発明の実施にあたり、上記実施形態では、不織布の材質として、ポリエステルを用いたが、これに限らず、ナイロンやビニロンなどの他の材質を用いてもよい。
（２）本発明の実施にあたり、上記実施形態では、収納箱１を片付ける最終的な状態は、図１３にて示す状態であるが、この状態では、持ち運ぶ際に、蓋部材２０内に挿入された箱体１０または補強板５０を落としたり、蓋部材２０の図示裏側に折り畳んである立て板２８等が拡がったりするおそれもある。従って、折り畳んだ収納箱１を、例えばゴムバンドで結束するようにしてもよい。また、蓋部材２０全体を収納する収納袋を用意するようにしてもよい。
（３）本発明の実施にあたり、上記実施形態では、立て板２８の表面に印刷する内容として、アルファベットの一覧を挙げたが、これに限らず、ひらがなやカタカナ、イラスト集等、使用者のお絵かきの参考になるような内容であれば、どのようなものであってもよい。
（４）本発明の実施にあたり、本実施形態では、収納箱１の表面には、絵や模様などで装飾が施されていないが、これは図示上の便宜のためであり、実際には加飾されている。
（５）本発明の実施にあたり、ホワイトボード２０ｄは、蓋部材２０の蓋壁自体として構成するのではなく、蓋部材２０の蓋壁上に貼着するようにしてもよい。
（６）本発明の実施にあたり、本実施形態では、ホワイトボード２０ｄと左右両側取り付け板２９ｃ、２９ｄとの着脱は、左右両側スナップボタン４１、４２を用いたが、これに限らず、例えば、マジックテープ（登録商標）を用いてもよい。
（７）本発明の実施にあたり、お絵かき対象表示体２０ｂは、その立て板２８にて、箱体１０とは別体に構成してもよく、また、必要に応じて、廃止してもよい。
【符号の説明】
【０１００】
１０…箱体、２０…蓋部材、１２〜１５…周壁、１７…下側開口部、
１８…底部、２０…蓋部材、２０ｄ…ホワイトボード、２８…立て板、
２９ａ、２９ｂ…保持板、２９ｃ、２９ｄ…取り付け板、５０…補強板。
【図１】
2018027156.tif 000003
【図２】
2018027156.tif 000004
【図３】
2018027156.tif 000005
【図４】
2018027156.tif 000006
【図５】
2018027156.tif 000007
【図６】
2018027156.tif 000008
【図７】
2018027156.tif 000009
【図８】
2018027156.tif 000010
【図９】
2018027156.tif 000011
【図１０】
2018027156.tif 000012
【図１１】
2018027156.tif 000013
【図１２】
2018027156.tif 000014
【図１３】
2018027156.tif 000015